(57)【要約】【課題】網戸の持つ本来の長所を損なうことなく、従来の網戸の短所である防犯対策と花粉症対策の不備を改善し、網戸に防犯対策に効果を有する手段および花粉症対策に効果を有する手段を提供することであり、このための電源手段を提供することである。【解決手段】本考案は、上述した課題を解決する手段として、網戸の枠部分に貼った太陽電池により発電し、電気二重層キャパシタにより蓄電するとともに、これを電源としたタイマー式自動開閉、自動ロック（施錠）、防犯ブザー装置、赤外線センサーなどの防犯装置を備え、網部分には酸化チタンをコーティングし、光触媒超親水性により、網戸を通過する花粉を付着させ室内に流入する花粉量を削減し、有機物分解効果により付着した花粉および花粉に含まれるアレルギー原因物質を分解する。【選択図】図１
0003126150.tif 000002
【実用新案登録請求の範囲】
【請求項１】
枠部分に太陽電池ソーラパネルを貼り付けることにより発電し、電気二重層キャパシタにより蓄電する手段を備えることを特徴とする網戸。
【請求項２】
太陽電池により発電し電気二重層キャパシタにより蓄電された電気を電力源とし、網戸の枠部分にアルミサッシなどの窓を動かすためのレール手段を備えるものであり、タイマー式自動開閉手段および自動ロック手段を有することにより、設定した任意の時間の経過後に自動的に窓が閉まり施錠する手段を備えることを特徴とする網戸。
【請求項３】
太陽電池により発電し、電気二重層キャパシタにより蓄電された電気を電力源とする防犯ブザー装置あるいは防犯照明装置あるいは防犯カメラ装置あるいは赤外線センサーなどの防犯装置を備えることを特徴とする網戸。
【請求項４】
網（ネット）部分には、酸化チタンをコーティングすることにより、光触媒超親水性の機能により、網戸を通過する空気により運ばれる花粉を付着させ室内に流入する花粉量を削減することにより花粉症対策に効果を有することを特徴とする網戸。
【請求項５】
網（ネット）部分を酸化チタンにてコーティングすることにより、光触媒の機能の一つである有機物を分解する機能を有し、例えば、付着した花粉および花粉に含まれるアレルギー原因物質を分解することにより花粉症対策に効果を有することを特徴とする網戸。
【考案の詳細な説明】
【技術分野】
【０００１】本考案は、防犯機能および花粉症対策に効果を有する網戸に関する。
【背景技術】
【０００２】網戸は日本の気候風土に適した生活用具であり、特に高温多湿な夏季においては、窓を開け網戸を使用することにより、自然の温度・湿度の変化、風の流れ、草木の触れ合う音、虫の鳴き声などの中で生活し、眠りに就いてきた。しかし近年は、家庭用のエアコンが普及し就寝時においてもエアコンを使用し、網戸を利用することが少なくなってきた。そしてセンサー機能などにより室内の温度と湿度をコントロールし、騒音を無くし、無風状態に近づけることにより快適性を提供できるものとして技術開発がなされてきた。【０００３】これに対し、室内環境つまり温度・湿度・音・光などをデジタル化によりコントロールすることに、特に人間工学的見地より疑問が呈せられている。また、これに加え、現代社会における過度なエアコンの使用がヒートアイランド現象、都市環境の悪化を生み出し、地球温暖化現象の一因となっているとも考えられている。【０００４】このため網戸が再評価されているが、従来の網戸では防犯性に問題があり、また花粉症対策などの課題がある。防犯機能を向上させるものとしては、スチールなどの素材による格子を付属させることにより侵入を防ぐことなどの技術が提供されている。しかしこれでは網戸の製造コストが、著しく上昇するという新たな課題がある。また、花粉症対策としては、網目を微細なものとし、例えば２５ミクロンとすることにより、花粉の室内への浸入を防ぐ技術などが提供されている。しかし課題は、製造コストが著しく上昇することに加え、室内への外気の流入量も減少するという問題などがある。
【考案の開示】
【考案が解決しようとする課題】
【０００５】本考案の解決しようとする課題は、網戸の持つ本来の長所を損なうことなく、従来の網戸の短所である防犯対策と花粉症対策の不備を改善し、網戸に防犯対策に効果を有する手段および花粉症対策に効果を有する手段を提供することであり、このための電源手段を提供することである。
【課題を解決するための手段】
【０００６】本考案は、上述した課題を解決する手段として、請求項１に記載した通り、アルミ枠部分に太陽電池ソーラパネルを貼り付けることにより発電し、電気二重層キャパシタにより蓄電する手段を有することを特徴とする網戸とする。【０００７】これにより、以下に述べる本考案による網戸の付加価値となる手段の電力源となる。【０００８】第一に、特に就寝時の快適性および安心感を提供する手段であるが、請求項２に記述した通り、網戸のアルミ枠部分にアルミサッシ等の窓を動かすレールを備えるものであり、タイマー式自動開閉手段および自動ロック（施錠）手段を備えることにより、任意の時間の経過後に自動的に窓が閉まり施錠する機能を有することを特徴とする。つまり従来の公知の技術である窓の自動開閉装置におけるレール部を、網戸のアルミ枠に取り付ける或いはアルミ枠を改造することとし、タイマーにて任意に例えば３時間後に自動的に窓が閉まるものとし、また閉まるとともに自動的に施錠されるものである。【０００９】第二に、本考案の網戸における防犯機能を付加する手段であるが、請求項３に記述した通り、防犯ブザー装置あるいは防犯照明装置あるいは防犯カメラ装置あるいは赤外線センサーなどの防犯装置を備えることを特徴とする。【００１０】第三に、主として花粉症対策としての手段および網戸本体の防汚手段であるが、請求項４に記述した通り、網（ネット）部分には、酸化チタンをコーティングすることにより、光触媒超親水性の機能により、網戸を通過する空気により運ばれる花粉を付着させ室内に流入する花粉量を削減することにより花粉症対策に効果を有することを特徴とする。【００１１】第四に、花粉症対策および抗菌・殺菌などの光触媒機能を応用する手段であるが、請求項５に記述した通り、網（ネット）の部分を酸化チタンにてコーティングすることにより、光触媒の機能の一つである有機物を分解する機能を有し、例えば、付着した花粉および花粉に含まれるアレルギー原因物質を分解することにより花粉症対策に効果を有することを特徴とする。【００１２】上記の記述において、第一、第二、第三、第四と記述したが、これは優先順位を表すものではなく、この内の一つ或いは数種或いは全ての手段あるいは機能を有することを特徴とする。
【考案の効果】
【００１３】本考案による網戸の請求項１に記載の太陽電池および電気二重層キャパシタを備えることにより、防犯対策および花粉症対策などに効果を有する装置の電源を、安価かつ簡便に提供するものである。
請求項２に記載のタイマー式自動開閉手段および自動ロック（施錠）手段を網戸に備えることにより、網戸の利用者は、就寝前に例えば３時間後に窓を閉め施錠するという設定ができるものとなり、就寝中の防犯および明け方の冷え込みによる寝冷え防止という効果と利用者の安心感を提供するものである。
請求項３に記載の防犯ブザー装置あるいは防犯照明装置あるいは防犯カメラ装置あるいは赤外線センサーなどを備えることにより防犯対策の効果を有する網戸となる。
請求項４に記載の、網の部分を酸化チタンにてコーティングすることにより、光触媒の機能としての親水性により、防汚効果とともに、網糸の部分が水分にて薄く覆われることにより、網戸を通過する空気に含まれる花粉を吸着することができ、室内への花粉の流入量を削減する効果を有するものである請求項５に記載の通り、光触媒の機能としての有機物分解により、網戸に吸着した花粉および花粉に含まれる蛋白質などのアレルギー原因物質を分解し、花粉症対策などに効果を有するものとなる
【考案を実施するための最良の形態】
【００１４】本考案の実施するための最良の形態としては、実施例１として電源手段の概略、実施例２として網戸の利用者への安心感を提供する手段の概略、実施例３として防犯対策の手段の概略、実施例４として花粉症対策などの手段の概略を次の通り例示する。
【実施例１】
【００１５】網戸のアルミ枠の外側面に、ソーラーパネルを貼り太陽電池として発電し、この電気を電気二重層キャパシタに充電することにより、以下に記述する装置の電力源とする。
【実施例２】
【００１６】網戸の利用者への安心感を提供する手段として、実施例１にて記述した電力源により駆動するタイマー式自動開閉手段および自動ロック（施錠）手段を備えるものとする。つまり任意の時間の経過後に自動的に窓が閉まり施錠する機能を有することを特徴とする。
従来の公知の技術である窓の自動開閉装置におけるレール部を、網戸のアルミ枠に取り付け、タイマーにて任意に例えば３時間後に自動的に窓が閉まるものとし、また閉まるとともに自動的に施錠される機能を有するものとする。
【実施例３】
【００１７】防犯対策に効果を有する手段として、実施例１にて記述した電力源により駆動する防犯ブザー装置あるいは防犯照明装置あるいは防犯カメラ装置あるいは赤外線センサーなどの防犯装置を備える。
尚、本考案による防犯対策の機能は、網戸部分だけでなく少なくとも窓全体に対する防犯対策とするものであり、更には、例えば赤外線センサーについては窓周辺をも監視の対象とするものである。
【実施例４】
【００１８】花粉症対策などに効果を有する手段として、網戸の網の部分に二酸化チタンをコーティングすることにより光触媒の機能を利用したものである。
網の部分は通常は有機物を素材としており、光触媒により網自体を分解し劣化させる作用があるが、既に公知の技術として有機物の素材を劣化させない二酸化チタンのコーティング技術が提供されており、これにより光触媒機能を応用する網戸とする。
光触媒の機能としての親水性により、防汚機能とともに、網糸の部分が水分にて薄く覆われることにより、網戸を通過する空気に含まれる花粉を吸着することができ、室内への花粉の流入量を削減するものである。
また光触媒の機能としての有機物分解により、網戸に吸着した花粉および花粉に含まれる蛋白質などのアレルギー原因物質を分解し、花粉症対策などに効果を有するものとなる。通常、花粉は水分が付着することにより外殻が割れ、内部よりアレルギーを引き起こす抗原が溶け出すものであるが、親水性のある網戸に付着した花粉は、効果的に有機物分解機能によりアレルギー原因物質を分解するものとなる。
【図面の簡単な説明】
【００１９】
【図１】本考案による網戸の概略チャート図である。
【図１】
0003126150.tif 000003
【手続補正書】
【提出日】平成18年7月6日(2006.7.6)
【手続補正１】
【補正対象書類名】実用新案登録請求の範囲
【補正対象項目名】全文
【補正方法】変更
【補正の内容】
【実用新案登録請求の範囲】
【請求項１】
枠部分に太陽電池ソーラパネルを貼り付けることにより発電し、電気二重層キャパシタにより蓄電する手段を備えることを特徴とする網戸。
【請求項２】
太陽電池により発電し電気二重層キャパシタにより蓄電された電気を電力源とし、網戸の枠部分にアルミサッシなどの窓を動かすためのレール手段を備えるものであり、タイマー式自動開閉手段および自動ロック手段を有することにより、設定した任意の時間の経過後に自動的に窓が閉まり施錠する手段を備えることを特徴とする網戸。
【請求項３】
太陽電池により発電し、電気二重層キャパシタにより蓄電された電気を電力源とする防犯ブザー装置あるいは防犯照明装置あるいは防犯カメラ装置あるいは赤外線センサーなどの防犯装置を備えることを特徴とする網戸。
【手続補正２】
【補正対象書類名】明細書
【補正対象項目名】全文
【補正方法】変更
【補正の内容】
【考案の詳細な説明】
【技術分野】
【０００１】  本考案は、防犯機能に効果を有する網戸に関する。
【背景技術】
【０００２】網戸は日本の気候風土に適した生活用具であり、特に高温多湿な夏季においては、窓を開け網戸を使用することにより、自然の温度・湿度の変化、風の流れ、草木の触れ合う音、虫の鳴き声などの中で生活し、眠りに就いてきた。しかし近年は、家庭用のエアコンが普及し就寝時においてもエアコンを使用し、網戸を利用することが少なくなってきた。そしてセンサー機能などにより室内の温度と湿度をコントロールし、騒音を無くし、無風状態に近づけることにより快適性を提供できるものとして技術開発がなされてきた。【０００３】これに対し、室内環境つまり温度・湿度・音・光などをデジタル化によりコントロールすることに、特に人間工学的見地より疑問が呈せられている。また、これに加え、現代社会における過度なエアコンの使用がヒートアイランド現象、都市環境の悪化を生み出し、地球温暖化現象の一因となっているとも考えられている。【０００４】このため網戸が再評価されているが、従来の網戸では防犯性に問題があり、また花粉症対策などの課題がある。防犯機能を向上させるものとしては、スチールなどの素材による格子を付属させることにより侵入を防ぐことなどの技術が提供されている。しかしこれでは網戸の製造コストが、著しく上昇するという新たな課題がある。また、花粉症対策としては、網目を微細なものとし、例えば２５ミクロンとすることにより、花粉の室内への浸入を防ぐ技術などが提供されている。しかし課題は、製造コストが著しく上昇することに加え、室内への外気の流入量も減少するという問題などがある。
【考案の開示】
【考案が解決しようとする課題】
【０００５】本考案の解決しようとする課題は、網戸の持つ本来の長所を損なうことなく、従来の網戸の短所である防犯対策の不備を改善し、網戸に防犯対策に効果を有する手段を提供することであり、このための電源手段を提供することである。
【課題を解決するための手段】
【０００６】本考案は、上述した課題を解決する手段として、請求項１に記載した通り、アルミ枠部分に太陽電池ソーラパネルを貼り付けることにより発電し、電気二重層キャパシタにより蓄電する手段を有することを特徴とする網戸とする。【０００７】これにより、以下に述べる本考案による網戸の付加価値となる手段の電力源となる。【０００８】第一に、特に就寝時の快適性および安心感を提供する手段であるが、請求項２に記述した通り、網戸のアルミ枠部分にアルミサッシ等の窓を動かすレールを備えるものであり、タイマー式自動開閉手段および自動ロック（施錠）手段を備えることにより、任意の時間の経過後に自動的に窓が閉まり施錠する機能を有することを特徴とする。つまり従来の公知の技術である窓の自動開閉装置におけるレール部を、網戸のアルミ枠に取り付ける或いはアルミ枠を改造することとし、タイマーにて任意に例えば３時間後に自動的に窓が閉まるものとし、また閉まるとともに自動的に施錠されるものである。【０００９】第二に、本考案の網戸における防犯機能を付加する手段であるが、請求項３に記述した通り、防犯ブザー装置あるいは防犯照明装置あるいは防犯カメラ装置あるいは赤外線センサーなどの防犯装置を備えることを特徴とする。
【考案の効果】
【００１０】本考案による網戸の請求項１に記載の太陽電池および電気二重層キャパシタを備えることにより、防犯対策および花粉症対策などに効果を有する装置の電源を、安価かつ簡便に提供するものである。
請求項２に記載のタイマー式自動開閉手段および自動ロック（施錠）手段を網戸に備えることにより、網戸の利用者は、就寝前に例えば３時間後に窓を閉め施錠するという設定ができるものとなり、就寝中の防犯および明け方の冷え込みによる寝冷え防止という効果と利用者の安心感を提供するものである。
請求項３に記載の防犯ブザー装置あるいは防犯照明装置あるいは防犯カメラ装置あるいは赤外線センサーなどを備えることにより防犯対策の効果を有する網戸となる。
【考案を実施するための最良の形態】
【００１１】本考案の実施するための最良の形態としては、実施例１として電源手段の概略、実施例２として網戸の利用者への安心感を提供する手段の概略、実施例３として防犯対策の手段の概略を次の通り例示する。
【実施例１】
【００１２】網戸のアルミ枠の外側面に、ソーラーパネルを貼り太陽電池として発電し、この電気を電気二重層キャパシタに充電することにより、以下に記述する装置の電力源とする。
【実施例２】
【００１３】網戸の利用者への安心感を提供する手段として、実施例１にて記述した電力源により駆動するタイマー式自動開閉手段および自動ロック（施錠）手段を備えるものとする。つまり任意の時間の経過後に自動的に窓が閉まり施錠する機能を有することを特徴とする。
従来の公知の技術である窓の自動開閉装置におけるレール部を、網戸のアルミ枠に取り付け、タイマーにて任意に例えば３時間後に自動的に窓が閉まるものとし、また閉まるとともに自動的に施錠される機能を有するものとする。
【実施例３】
【００１４】防犯対策に効果を有する手段として、実施例１にて記述した電力源により駆動する防犯ブザー装置あるいは防犯照明装置あるいは防犯カメラ装置あるいは赤外線センサーなどの防犯装置を備える。
尚、本考案による防犯対策の機能は、網戸部分だけでなく少なくとも窓全体に対する防犯対策とするものであり、更には、例えば赤外線センサーについては窓周辺をも監視の対象とするものである。
【図面の簡単な説明】
【００１５】
【図１】本考案による網戸の概略チャート図である。
【手続補正３】
【補正対象書類名】図面
【補正対象項目名】全図
【補正方法】変更
【補正の内容】
【図１】
0003126150.tif 000004